(57)【要約】【課題】  印刷版への湿し水量の配分を改良する。【解決手段】  本発明は、湿し水を印刷版に塗布するための手段と湿し水量を調整するための手段とを有する印刷機の湿し装置に関する。その場合、少なくとも１つの、塗布される湿し水量を検出するためのセンサーを備えており、基準値として設定可能な湿し水量との比較で、次の設定される印刷版への湿し水量を調整することができる。【選択図】図１
2005319786.tif 000002
【特許請求の範囲】
【請求項１】
湿し水を印刷版に塗布するための手段と湿し水量を調整するための手段とを有する印刷機の湿し装置において、
塗布される湿し水量を検出するための少なくとも１つのセンサーを備えており、基準値として設定可能な湿し水量との比較で、次の設定される印刷版への湿し水量を調整することができることを特徴とする印刷機の湿し装置。
【請求項２】
複数のセンサーが、印刷版の幅にわたって分配されて配置されていることを特徴とする請求項１に記載の湿し装置。
【請求項３】
少なくとも１つの浸漬ローラ及び少なくとも１つのならしローラを有する膜状湿し装置を備えており、湿し水量の調整のために、前記膜状湿し装置において、浸漬ローラのならしローラに対する圧力及び／又は斜め調整位置を調整することができ、及び／又は、ならしローラの速度を調整することができることを特徴とする請求項１又は２に記載の湿し装置。
【請求項４】
射出式湿し装置を備えており、湿し水量の調整のために、調整可能な絞りを操作することができることを特徴とする請求項１又は２に記載の湿し装置。
【請求項５】
少なくとも１つのならしローラ及び少なくとも１つの湿し水着けローラを有する射出式湿し装置を備えており、湿し水量の調整のために、調整可能な絞りを操作することができ、及び／又は、ならしローラ及び／又は湿し水着けローラの回転数を調整することができることを特徴とする請求項４に記載の湿し装置。
【請求項６】
少なくとも１つのならしローラ及び少なくとも１つの湿し水着けローラを有する吹きつけ式湿し装置を備えており、湿し水の調整のために、吹きつけ振動数及び／又は吹きつけ時間を操作することができ、及び／又は、ならしローラ及び／又は湿し水着けローラの回転数を調整することができることを特徴とする請求項１又は２に記載の湿し装置。
【請求項７】
制御／調整装置を備えており、該制御／調整装置において調整の大きさを格納することができ、この調整の大きさを予調整データとして読み出すことができることを特徴とする請求項１〜６のいずれかに記載の湿し装置。
【発明の詳細な説明】
【技術分野】
【０００１】
本発明は、請求項１に記載の特徴どおりの印刷機の湿し装置に関する。
【背景技術】
【０００２】
平版印刷法においては、一般に、印刷版の印刷しない個所には湿し水をつけ、印刷する箇所にはインキをつけることが知られている。湿し水の配量は標準の状態で制御される。膜状湿し装置の場合、ならしローラの回転数が操作され、印刷紙の幅にわたり、湿し水量が浸漬ローラとならしローラとの間の圧力の変更によって手動で制御される。ノズル及び射出式湿し装置の場合、ノズルの吹付け頻度で制御され、あるいは、ターボ湿し装置の場合、弁の開放で制御される。
【０００３】
湿し水量の制御された配分の場合、不利なことは、誤差調整が生ずる可能性もあることである。
【発明の開示】
【発明が解決しようとする課題】
【０００４】
本発明の課題は、印刷版への湿し水量の配分を改良することである。
【課題を解決するための手段】
【０００５】
この課題は、請求項１に記載の特徴によって解決される。
【０００６】
本発明の湿し装置の場合、印刷版への湿し水量は有利に調整される。
【０００７】
本発明の湿し装置は、膨張又は収縮によるローラの層の変化を、有利に自動探知し、自動的に調整する。
【発明の効果】
【０００８】
新規の委託された印刷の仕事を開始する際、最適の調整が記憶装置に格納され、この最適調整は、後のこの種の仕事の際、予調整データとして湿し装置の制御／調整装置に読み取られる。
【０００９】
更に、浸漬ローラの印刷幅と同様に湿し装置の回転数が本発明の湿し装置の制御信号で調整されるので、種々の材料についての所謂「湿し始動曲線」の手間のかかる調査はいらない。
【００１０】
更に本発明の湿し装置によって、汚れ、色調及び色の構成を早期に知ることができ、有利に、刷り損じ紙を少なくすることができる。
【発明を実施するための最良の形態】
【００１１】
本発明のさらなる特徴及び利点は、従属請求項及び図面から、以下の説明と関連して挙げられる。次に、本発明について、添付の図式的な図面を用いて詳細に説明する。
【実施例１】
【００１２】
図１に、湿し装置により本発明の原理を略図示する。印刷機の部分として通常転写胴と協働するプレート胴１が図示されている。プレート胴上にインキ受容領域とインキをはじく領域とを備える印刷版がある。インキをはじく領域に湿し水がつけられる。湿し水の層厚を測定するために、制御／調整装置３と協働するセンサー２を備えている。制御／調整装置３には湿し水の層厚又は量の基準値が設定される。プレート胴に塗られる湿し水量は、浸漬ローラとならしローラとの間の圧力と、浸漬ローラのならしローラに対する斜め調整位置と、ならしローラの速度とに左右されるので、基準値４から、浸漬ローラとならしローラとの間の圧力の目標値と、浸漬ローラのならしローラに対する斜め調整位置の目標値と、ならしローラの速度の目標値とが生じる。センサー２の信号から、制御及び調整装置３は、そのときどきの、浸漬ローラとならしローラとの間の圧力の実際値、浸漬ローラのならしローラに対する斜め調整位置の実際値を検知する。目標値と実際値との比較の後、求められた差異は対応する調整装置５によって後調整される。
【００１３】
浸漬ローラとならしローラとの間の圧力を調整するために、ローラの配置を特に心棒に関して調整する二つのモータ６ａ、６ｂを備えている。浸漬ローラの斜め調整位置のために別のモータ６ｃを備えており、ならしローラの速度の調整のためにモータ６ｄが装着されている。目標値４の到達は、所謂良好な枚葉紙の製造中に現れる。この良好な枚葉紙の製造は所望の印刷品質を有し、そのために調整された、調整の大きさａ、ｂ、ｃ及びｄの値は記憶装置に格納され、後で、同様な印刷依頼のものの製造のために再び制御及び調整装置３に読み取られる。単一のセンサー２の代わりに、印刷版の幅にわたり、分配配置された複数のセンサー２を備えることもできる。これによって結果として種々の印刷版の領域の有効利用が生み出され、対応する領域をさまざまに調整することも可能である。
【００１４】
目標値４の調整のために、調整の大きさａ、ｂ、ｃ、ｄのそれぞれを単独で調整することができるか、あるいは、調整の大きさａ、ｂ、ｃ、ｄのそれぞれを他の１つもしくは他の複数と関係付けて調整することができる。
【００１５】
図２に、膜状湿し装置の調整の可能性を側面図で示す。湿し水出しローラ９又は浸漬ローラ９は、湿し水をならしローラ８につけ、このならしローラは、湿し水を、着けローラ７を介してプレート胴１の印刷版につける。浸漬ローラ９とならしローラ８との間の圧力の調整のために、調整モータ６ａ、６ｂを備えている。前記調整モータは特に心棒に関してローラの軸受の位置を調整することができる。浸漬ローラ９のならしローラ８に対する斜め調整位置のために、ならしローラ８に対して調整モータ６ｃを備えている。この調整モータは同様に特に湿し水出しローラ９の軸受けに軸心の駆動に関して作用する。
【００１６】
図３では吹きつけ式湿し装置により本発明の原理を示す。吹きつけ式湿し装置の場合、湿し水は、複数のノズルを有する吹きつけばりを介して、ならしローラに吹付けられ、ならしローラは、湿し水着けローラを介してプレート胴に湿し水を送る。湿し水量は、吹付けのサイクル振動数１０及びサイクル時間１１の影響を受ける。更にならしローラ回転数１２及び着けローラ回転数１３も湿し水層厚への影響を与えると解される。前述の実施例と同様に、湿し水層厚の実際値を制御／調整装置３に転送するセンサー２を同様に備えている。制御／調整装置３は、前記実際値を、サイクル振動数１０、サイクル時間１１、ならしローラ回転数１２及び湿し水着けローラ１３の速度の実際値に分散させる。これらの実際値は、付属する、湿し水量の基準値から生じる目標値ｉ、ｆ、ｇ、ｈと比較される。目標値と実際値との比較の後、対応する差異が後調整される。「良好な枚葉紙」が製造されるとすぐ理想的な調整が達成され、この理想的な調整は記憶装置に格納される。これらの値はすぐ次の同様な印刷の仕事に対して再び制御及び調整装置３に読み取られ、種々の調整に対する基準値として利用される。
【００１７】
図４に本発明の射出式湿し装置を示す。射出式湿し装置においては、湿し水は、非接触でロータによってならしローラに射出されるか又は直接プレート胴１に射出される。湿し水量の配分のために、調整可能な絞りを備えている。ならしローラ回転数又は湿し水着けローラの回転数を同様に湿し水の配分のために引用することができる。前述の実施例と同様に、センサー２がプレート胴１上の湿し水層厚を検知し更にそれを制御及び調整装置３に与える。制御及び調整装置３は、前記湿し水層厚の実際値を、絞り調整、ならしローラ回転数及び湿し水着けローラ回転数の実際値に分散させる。制御及び調整装置に、湿し水量の基準値が入力され、この基準値は、絞り調整、ならしローラ回転数及び湿し水着けローラ回転数の目標値ｉ、ｊ、ｋに分散される。個々の目標値と実際値との比較の後、さまざまの調整を、調整器５ｉ、５ｊ、５ｋによって後調整することができる。最初の良好な枚葉紙が製造されるとすぐ最適な調整が達成され、この最適な調整は、前述の実施例と同様に後ほど読み取られるように、記憶装置にファイルされる。
【図面の簡単な説明】
【００１８】
【図１】本発明の膜状湿し装置を示す。
【図２】本発明の膜状湿し装置の調整装置を示す。
【図３】本発明の吹きつけ式湿し装置を示す。
【図４】本発明の射出式湿し装置を示す。
【符号の説明】
【００１９】
１  プレート胴
２  センサー
３  制御／調整装置
４  基準値（湿し水量）
５  調整器
６  調整モータ／調整装置
７  着けローラ
８  ならしローラ
９  出しローラ／浸漬ローラ
１０  サイクル振動数
１１  サイクル時間
１２  ならしローラの速度
１３  湿し水着けローラの速度
【図１】
2005319786.tif 000003
【図２】
2005319786.tif 000004
【図３】
2005319786.tif 000005
【図４】
2005319786.tif 000006